(57)【要約】【課題】ストローの先端に撹拌用の部材を付け替える必要がなく、しかも、撹拌効率に優れたマドラー兼用ストローを提供する。【解決手段】ストローとして使用しながらマドラーとしても使用するマドラー兼用ストローを設ける。複数本のストロー１を横並びに設けて広がった面を撹拌面２とする。各回転軸１は吸引できる状態とする。マドラーとして使用する際は、撹拌面２にて撹拌する。撹拌面２はストローを３本又は４本並べた形状とする。各ストロー１は互いに接着され又は一体成形される。【選択図】  図１
2019170435.tif 000002
【特許請求の範囲】
【請求項１】
ストローとして使用しながらマドラーとしても使用するマドラー兼用ストローにおいて、複数本のストローを横並びに設けて広がった面を撹拌面とし、各ストローは吸引できる状態で撹拌面にて撹拌できるように構成したことを特徴とするマドラー兼用ストロー。
【請求項２】
前記撹拌面は、前記ストローを３本又は４本並べた形状を成し、各ストローは互いに接着され又は一体成形された請求項１記載のマドラー兼用ストロー。
【請求項３】
前記撹拌面において、前記ストローの隣接部を揺動自在に設け、該隣接部の一部又は隣接部全体を折りたたみ自在に構成した請求項１又は２記載のマドラー兼用ストロー。
【発明の詳細な説明】
【技術分野】
【０００１】
本発明は、ストローにマドラー機能を兼ねることができるマドラー兼用ストローに関するものである。
【背景技術】
【０００２】
ストローにマドラー機能を兼ねたマドラー兼用ストローは、例えば特許文献１〜３に記載のごとく各種の提案がある。
【０００３】
特許文献１に記載のマドラー兼用ストローは、ストローの端部に装着する球体状の装着部材を設け、マドラーとして使用する際に、ストローの端部に球体状の装着部材を装着して使用するものである。
【０００４】
特許文献２に記載のかき混ぜストローは、２〜４枚の羽根で構成する撹拌部を設け、この羽根状の撹拌部をストローの先端に取り付けておくことで、ストローをマドラーとして使用できるようにしたものである。
【０００５】
特許文献３に記載のストロー・マドラー兼用具は、ストロー部の軸線に対して直角に備えられる環形状を成したマドラー部を設けたものである。マドラーを使用する際はストロー部の下端部にマドラー部を連結して上下移動で撹拌するものである。
【先行技術文献】
【特許文献】
【０００６】
【特許文献１】特開平４−２５３８１４号公報
【特許文献２】特許第４６７６５６１号公報
【特許文献３】特開２０１５−２２１０７７号公報
【発明の概要】
【発明が解決しようとする課題】
【０００７】
特許文献１に記載のマドラー兼用ストローは、マドラーとして使用するたびに、ストローの端部に球体状の装着部材を装着する手間が必要になる。しかも、球体状の装着部材を端部に装着したストローは、液体を吸引できなくなるのでストローとして使用することができなくなる不都合もある。
【０００８】
一方、特許文献２のかき混ぜストローは、ストローの端部に羽根状の撹拌部を設けたものなので、ストローとして使用しながらマドラーとしても使用できる構造である。ところが、この羽根状の撹拌部は、出来る限り小さくして反り返らせるものなので、ストローの径よりも僅かに外側に反った状態であった。したがって、小さな撹拌羽根で撹拌するマドラーとしての撹拌効率は、あまり期待できるものではなかった。
【０００９】
特許文献３に記載のストロー・マドラー兼用具は、ストロー部の下端部に直角に設けた環形状のマドラー部をコップの底に沈め、この環形状のマドラー部を上下動させて撹拌するので、撹拌効率は極めて高い構成になっている。
【００１０】
ところが、環形状を成したマドラー部をコップの底に沈めた後、このマドラー部を上下動させるものであるから、例えば大きな氷が入った飲み物の底部に配置したマドラー部を上に持ち上げると、持ち上がった氷がコップからこぼれる虞がある。また、クリームソーダのように容器の上部にクリームなどが入った飲み物なども、マドラー部を上下動する操作が困難になる。
【００１１】
そこで本発明は、上述の課題を解消すべく案出されたもので、ストローとして使用しながらマドラーとしても同時に使用することが可能になり、特にストローの先端に撹拌用の部材を付け替える必要がなく、しかも、撹拌効率に優れ使用時の規制もないマドラー兼用ストローの提供を目的とするものである。
【課題を解決するための手段】
【００１２】
上述の目的を達成すべく本発明における第１の手段は、ストローとして使用しながらマドラーとしても使用するマドラー兼用ストローにおいて、複数本のストロー１を横並びに設けて広がった面を撹拌面２とし、各ストロー１は吸引できる状態で撹拌面２にて撹拌できるように構成したことにある。
【００１３】
第２の手段において、前記撹拌面２は、前記ストロー１を３本又は４本並べた形状を成し、各ストロー１は互いに接着され又は一体成形されたものである。
【００１４】
第３の手段は、前記撹拌面２において、前記ストロー１の隣接部３を揺動自在に設け、該隣接部３の一部又は隣接部３全体を折りたたみ自在に構成したものである。
【発明の効果】
【００１５】
本発明の請求項１によると、複数本のストロー１を横並びに設けて広がった面を撹拌面２とし、各ストロー１は吸引できる状態で撹拌面２にて撹拌できるように構成したことにより、ストロー１として使用しながらマドラーとしても同時に使用することが可能になった。
【００１６】
請求項２のように、撹拌面２は、ストロー１を３本又は４本並べた形状を成し、各ストロー１は互いに接着され又は一体成形されたものであるから、１本のストロー１では撹拌力が僅かであるが、３本又は４本並べたストロー１の撹拌面２の面積は、１本のストロー１の３〜４倍の面積になるので、この撹拌面２を使用して撹拌すると、極めて高い撹拌効率が得られるものである。
【００１７】
しかも、大きな氷やクリームなどが入った飲み物なども簡単に撹拌できるので、従来のストロー・マドラー兼用具のように、マドラーとしての使用範囲が規制される不都合もない。
【００１８】
請求項３のごとく、撹拌面２において、ストロー１の隣接部３を揺動自在に設け、該隣接部３の一部又は隣接部３全体を折りたたみ自在に構成したことで、ストロー１で吸引する際は複数本のストロー１をまとめることができる。また、マドラーとして撹拌する際は、撹拌面２を開いて撹拌できるので、吸引する際も撹拌する際も極めて効率の良い使用が可能になる。
【００１９】
このように、本発明によると、ストローとして使用しながらマドラーとしても同時に使用することが可能になり、特にストローの先端に撹拌用の部材を付け替える必要がなく、撹拌効率に優れ使用時の規制もないなどといった当初の目的を達成した。
【図面の簡単な説明】
【００２０】
【図１】本発明の一実施例を示す斜視図である。
【図２】本発明の使用例を示す斜視図である。
【図３】(イ)、(ロ)は、本発明の一実施例を示す平断面図である。
【図４】(イ)、(ロ)は、隣接部から折りたたんだ状態を示す平断面図である。
【発明を実施するための形態】
【００２１】
本発明は、ストローとして使用しながらマドラーとしても使用するマドラー兼用のストローである。
【００２２】
本発明では、合成樹脂等で形成された複数本のストロー１を横並びに設けて広がった面を撹拌面２として形成している。この撹拌面２は、本発明をマドラーとして使用する際に、この撹拌面２にて撹拌するものである（図２参照）。
【００２３】
撹拌面２をマドラーとして使用している際でも、各ストロー１は吸引可能であるから、各回転軸１は吸引できる状態で撹拌面２にて撹拌できるように構成されている。
【００２４】
このとき、撹拌面２は、ストローを３本又は４本並べた形状を成している。ストロー１を２本並べた場合は、撹拌面２は１本のストロー１の２倍の面積になるが、この程度の面積では撹拌面２として十分な撹拌効率が得られない。
【００２５】
一方、ストロー１が５本以上の場合は、確実に撹拌面２の撹拌効率が増大する。ところが、ストロー１として吸引する際に、口にするストロー１の数が多くなるので吸いにくくなる。その結果、吸引性と撹拌力とを兼ね備える撹拌面２の面積は、ストローを３本又は４本並べた形状が最適な面積になる(尚、ストロー１の径は一般に使用されている範囲内とする)。
【００２６】
撹拌面２を形成する際に、各ストロー１は隣接部３を互いに接着することで撹拌面２を形成する(図１参照)。この際、ストロー１を直接接着する他、他の接着部材を介して設着することも可能である（図４参照）。また、撹拌面２を有する複数のストロー１を一体成形することも可能である（図３参照）。
【００２７】
隣接部３は、各ストロー１を固定状態にすることで、各ストロー１が横並びの状態で固定される(図３参照)。また、各ストロー１の隣接部３を揺動自在に設けると、隣接部分の一部又は隣接部全体を折りたたみ自在に形成することができる(図４参照)。そうすると、ストロー１で吸引する際は、隣接部３を折りたたむことで複数本のストロー１を丸めることができる。
【００２８】
また、揺動する隣接部３は、例えば、４本並んだストロー１の中央の隣接部３のみを揺動するように構成することで、吸引する際は、横並びの４本のストロー１を２本ずつ重ねた状態で使用することができる(図４（ロ）参照)。また、各ストロー１の隣接部３全てを揺動自在に形成した場合、例えば３本のストロー１の隣接部３全体を折りたたむと、３本のストロー１を三角形状にまとめることができる(図４（イ）参照)。
【００２９】
このように、ストロー１の隣接部３を揺動自在に設けると、ストロー１で吸引する際に横並びのストロー１をまとめて使用することができる。また、撹拌面２を使用してマドラーとして撹拌する際は、各ストロー１を開いて広い撹拌面２を使用することが可能になる。このように、吸引する際も撹拌する際も極めて効率の良い使用が可能になるものである。
【００３０】
尚、本発明の各構成は図示例に限定されるものではなく、ストロー１や撹拌面２、隣接部３の形状や材質等は、本発明の要旨を変更しない範囲で任意に変更することができる。
【符号の説明】
【００３１】
１  ストロー
２  撹拌面
３  隣接部
【図１】
2019170435.tif 000003
【図２】
2019170435.tif 000004
【図３】
2019170435.tif 000005
【図４】
2019170435.tif 000006